(57)【要約】【課題】つまみ部の前後位置が変わっても、つまみ部の発光面に見える光の強さが変わらないつまみダイヤル装置を提供する。【解決手段】前後に開口する筒状をしたつまみ本体１１の内部に、筒状をしてその前端面が前方に露出する発光面１２ａとなると共に後端面が前後方向に垂直な入射面１２ｂとなる透光性を有する導光部材１２を嵌入し、導光部材１２の前端開口をつまみ蓋１３にて閉塞してつまみ部１を構成し、本体部２１に対して可動部２２を後方に押し込む毎に前記可動部２２が前方に位置する状態と後方に位置する状態とが交互に切り替わる保持部２の前記可動部２２につまみ蓋１３の後面を取り付け、操作軸３１を回転自在に突出したロータリーエンコーダ３の前記操作軸３１に保持部２を取り付け、導光部材１２の入射面１２ｂの後方に該入射面１２ｂに略垂直に光を入射させる指向性を有する発光体４を配設した。【選択図】        図１
2010067497.tif 000002
【特許請求の範囲】
【請求項１】
前後に開口する筒状をしたつまみ本体の内部に、筒状をしてその前端面が前方に露出する発光面となると共に後端面が前後方向に垂直な入射面となる透光性を有する導光部材を嵌入し、導光部材の前端開口をつまみ蓋にて閉塞してつまみ部を構成し、本体部に対して可動部を後方に押し込む毎に前記可動部が前方に位置する状態と後方に位置する状態とが交互に切り替わる保持部の前記可動部につまみ蓋の後面を取り付け、操作軸を回転自在に突出したロータリーエンコーダの前記操作軸に保持部を取り付け、導光部材の入射面の後方に該入射面に略垂直に光を入射させる指向性を有する発光体を配設して成ることを特徴とするつまみダイヤル装置。
【請求項２】
つまみ本体の内面を反射面として成ることを特徴とする請求項１記載のつまみダイヤル装置。
【請求項３】
導光部材の前端面にシボ加工を施して発光面を形成して成ることを特徴とする請求項１又は２記載のつまみダイヤル装置。
【請求項４】
複数色の発光体を各色毎に導光部材の周方向に間隔をあけて配置して成ることを特徴とする請求項１乃至３のいずれか一項に記載のつまみダイヤル装置。
【請求項５】
導光部材の後端部をつまみ本体の後端部よりも後方に位置させ、つまみ本体の後端部及び導光部材の後端部の外周面から外方に所定の距離をあけて筒状をしてその前端縁から内方に向けて前側の内フランジを突設し後端縁から内方に向けて後側の内フランジを突設した押圧部材を配設し、つまみ本体の後端部近傍の外周面に外フランジを突設し、押圧部材の後側の内フランジをつまみ本体の外フランジよりも後方に位置させて後側の内フランジと外フランジとの間に圧縮した付勢部材を装填して押圧部材をつまみ本体に対して後方に付勢し、前側の内フランジをつまみ本体の外フランジよりも前方に位置させて前側の内フランジと外フランジとが当接して押圧部材のつまみ本体に対する後方への移動が規制され且つ前方に移動可能な状態で押圧部材が導光部材の後端よりも後方に位置し、保持部の可動部が前方に位置する状態で押圧部材により後方に押圧されず且つ可動部が後方に位置する状態で押圧部材により後方に押圧されるレバーを有するスイッチを設けて成ることを特徴とする請求項１乃至４のいずれか一項に記載のつまみダイヤル装置。
【発明の詳細な説明】
【技術分野】
【０００１】
本発明は、つまみダイヤル装置に関するものである。
【背景技術】
【０００２】
従来より、つまみダイヤル装置が知られている（例えば特許文献１参照）。つまみダイヤル装置は、筒状をしたつまみ本体と、つまみ本体の内部に嵌入される筒状をしてその前端面が発光面となる透光性を有する導光部材と、でつまみ部の主体が構成され、本体部に対して可動部を押し込む毎に前記可動部が前方に位置する状態と後方に位置する状態とが交互に切り替わる保持部の可動部につまみ部を取り付け、導光部材に光を入射させる発光体を設けて構成される。
【０００３】
そして、つまみ部を押し込んで点火させて、つまみ部をつまんで回転させてガス量の調節を行うもので、この際、様々な報知を行うべく、発光体を点灯させ、導光部材の発光面を発光させるものである。
【特許文献１】特開２００５−１９６５００号公報
【発明の開示】
【発明が解決しようとする課題】
【０００４】
ところで特許文献１に示される従来例においては、発光体は、導光部材の外周面より外方に離れた位置から前方斜め約４５度の角度で導光部材の外周面に光を照射し、該外周面より導光部材内に入射した光は、導光部材の前後方向の一部において周方向に形成したローレットにて乱反射して、該乱反射した光が前端の発光面より見えるようになっている。
【０００５】
ここで、つまみ部は前後に移動するものであり、導光部材はつまみ部の一部であるため前後に移動するが、導光部材の前後位置が変わると、導光部材に形成したローレットの発光体からの距離や照射角度が変わってしまうため、発光面に見える光の強さが変わってしまう、という問題があった。
【０００６】
本発明は上記従来の問題点に鑑みてなされたものであって、その目的とするところは、つまみ部の前後位置が変わっても、つまみ部の発光面に見える光の強さが変わらないつまみダイヤル装置を提供することを課題とする。
【課題を解決するための手段】
【０００７】
上記課題を解決するために請求項１に係るつまみダイヤル装置Ａは、前後に開口する筒状をしたつまみ本体１１の内部に、筒状をしてその前端面が前方に露出する発光面１２ａとなると共に後端面が前後方向に垂直な入射面１２ｂとなる透光性を有する導光部材１２を嵌入し、導光部材１２の前端開口をつまみ蓋１３にて閉塞してつまみ部１を構成し、本体部２１に対して可動部２２を後方に押し込む毎に前記可動部２２が前方に位置する状態と後方に位置する状態とが交互に切り替わる保持部２の前記可動部２２につまみ蓋１３の後面を取り付け、操作軸３１を回転自在に突出したロータリーエンコーダ３の前記操作軸３１に保持部２を取り付け、導光部材１２の入射面１２ｂの後方に該入射面１２ｂに略垂直に光を入射させる指向性を有する発光体４を配設して成ることを特徴とするものである。
【０００８】
このような構成とすることで、可動部２２が前方に位置する状態となってつまみ部１が前位置にある場合と、可動部２２が後方に位置する状態となってつまみ部１が後位置にある場合のいずれの場合でも、導光部材１２の入射面１２ｂが発光体４に対向しているため、発光体４からの光の入射面１２ｂへの入射角度が変わらず、また、発光体４と入射面１２ｂとの距離は変わるものの指向性の高い発光体４であるため入射面１２ｂから入射する光量は殆ど変わらないため、つまみ部１の発光面１２ａに見える光の強さが変わらないものである。
【０００９】
また、請求項２に係る発明は、請求項１に係る発明において、つまみ本体１１の内面を反射面として成ることを特徴とするものである。
【００１０】
このような構成とすることで、導光部材１２の外面より漏出する光がつまみ本体１１の内面で反射して導光部材１２に再入射し、光の損失を防止することができる。
【００１１】
また、請求項３に係る発明は、請求項１又は２に係る発明において、導光部材１２の前端面にシボ加工を施して発光面１２ａを形成して成ることを特徴とするものである。
【００１２】
このような構成とすることで、乱反射して一様に光る発光面１２ａを容易に形成することができる。
【００１３】
また、請求項４に係る発明は、請求項１乃至３のいずれか一項に係る発明において、複数色の発光体４を各色毎に導光部材１２の周方向に間隔をあけて配置して成ることを特徴とするものである。
【００１４】
このような構成とすることで、複数種類の色の光を発光面１２ａに均一に光らせることが可能となる。
【００１５】
また、請求項５に係る発明は、請求項１乃至４のいずれか一項に係る発明において、導光部材１２の後端部をつまみ本体１１の後端部よりも後方に位置させ、つまみ本体１１の後端部及び導光部材１２の後端部の外周面から外方に所定の距離をあけて筒状をしてその前端縁から内方に向けて前側の内フランジ５１を突設し後端縁から内方に向けて後側の内フランジ５２を突設した押圧部材５を配設し、つまみ本体１１の後端部近傍の外周面に外フランジ１１ａを突設し、押圧部材５の後側の内フランジ５２をつまみ本体１１の外フランジ１１ａよりも後方に位置させて後側の内フランジ５２と外フランジ１１ａとの間に圧縮した付勢部材５３を装填して押圧部材５をつまみ本体１１に対して後方に付勢し、前側の内フランジ５１をつまみ本体１１の外フランジ１１ａよりも前方に位置させて前側の内フランジ５１と外フランジ１１ａとが当接して押圧部材５のつまみ本体１１に対する後方への移動が規制され且つ前方に移動可能な状態で押圧部材５が導光部材１２の後端よりも後方に位置し、保持部２の可動部２２が前方に位置する状態で押圧部材５により後方に押圧されず且つ保持部２の可動部２２が後方に位置する状態で押圧部材５により後方に押圧されるレバー７１を有するスイッチ７を設けて成ることを特徴とするものである。
【００１６】
このような構成とすることで、スイッチ７に過大な押し込み力がかかって損傷してしまうのが防止される。
【発明の効果】
【００１７】
本発明においては、つまみ部が大きく突出する状態と小さく突出する状態とが切り替わって、つまみ部の前後位置が変わっても、つまみ部の発光面に見える光の強さが変わらないようにすることができる。
【発明を実施するための最良の形態】
【００１８】
以下、本発明を添付図面に示す実施形態に基づいて説明する。まず、本発明のつまみダイヤル装置Ａを備える、キッチンキャビネットに組み込まれるドロップインタイプのガスこんろ８について概略説明する。
【００１９】
ガスこんろ８は、図５に示すように、上方に開口する箱状をした筐体８１と、筐体８１の上方への開口を閉塞しガスこんろ８の天面部となるガラス製のトッププレート８２と、で外殻が構成される。
【００２０】
トッププレート８２にはこんろバーナからなる加熱部８３が複数設けてある。図５に示す実施形態では、加熱部８３として、標準バーナ８３ａ、小バーナ８３ｂ、高火力バーナ８３ｃの計三個のこんろバーナが設けてある。図中の符号８４は五徳である。
【００２１】
ガスこんろ８内には図示しないグリルバーナを設けたグリル庫が設けてあり、グリル庫の前開口は、ガスこんろ８の前面に設けたグリル扉８５によって開閉自在に閉塞される。
【００２２】
また、各加熱部８３には、被加熱物検知手段８６が設けてある。被加熱物検知手段８６は、五徳８４に被加熱物が載置された状態にあるか否か、即ち、各こんろバーナ上に被加熱物が配置された状態にあるか否かを検知するものである。
【００２３】
ガスこんろ８の前面部を構成する前面パネル８７には、各加熱部８３を操作するための本発明のつまみダイヤル装置Ａからなる操作部８８がそれぞれ設けてある。
【００２４】
各操作部８８は手動で操作されて対応するこんろバーナの点火及び消火の切り替えや火力調節を指令するものであり、これを受けて図示しない制御手段が各こんろバーナの点消火の切り替えや火力調節を行う。
【００２５】
前面パネル８７の各操作部８８の下側には対応するこんろバーナの調理の設定を指令するための設定手段を構成する設定入力パネル８９が設けてあり、この設定入力パネル８９を操作することで、こんろバーナ毎に、調理タイマーモード、湯沸しモード、炊飯モード等の自動調理モードを設定できるようになっている。
【００２６】
また、前面パネル８７における向かって左側の部位には、グリルバーナの点火及び消火の切り替えや火力調整を指令するための設定入力パネル９０が設けてある。
【００２７】
上記設定入力パネル８９、９０によるモード設定なしの状態で調理を行う場合、前面に設けた電源スイッチ９１をＯＮにした後、操作部８８や設定入力パネル９０を押し操作して制御手段に点火の指令を送る。この指令を受けると制御手段は、図示しないがガス供給路の開閉弁を開き、且つ任意のこんろバーナ又はグリルバーナに対応する流量調整弁を所定開度で開くと共に点火プラグをスパークさせ、こんろバーナ又はグリルバーナを点火する。これにより、こんろバーナの炎により対応する五徳８４上に載置した被加熱物を加熱したり、グリルバーナの炎によりグリル庫内の肉や魚を焼くことができる。
【００２８】
ここで、上記ガスこんろ８の各操作部８８の前面には当該操作部８８が被加熱物を配置したこんろバーナに対応する操作部８８であることを報知するための報知手段として発光面１２ａが設けてあり、以下に、操作部８８としてのつまみダイヤル装置Ａについて図１〜図４に基づいて説明する。
【００２９】
つまみダイヤル装置Ａは、図１、図２に示すように、つまみ部１と、つまみ部１を前後に移動自在に保持する保持部２と、ロータリーエンコーダ３と、発光体４とで主体が構成される。
【００３０】
つまみ部１は、筒状をしたつまみ本体１１と、つまみ本体１１の内部に嵌入され前方に露出する前端面を発光面１２ａとする筒状をした導光部材１２と、つまみ本体１１（導光部材１２）の前端開口を閉塞するつまみ蓋１３と、で構成される。
【００３１】
つまみ本体１１は、略円筒状をしたもので、その外面を、使用者が指でつまんで回転させるためのつまみ面とするものである。本実施形態では、遮光性を有する合成樹脂等の材料で形成してある。また、つまみ本体１１の内面を反射面とすることが好ましい。
【００３２】
導光部材１２は、透光性を有する合成樹脂等の材料からなる略円筒状をしたもので、外径を前記つまみ本体１１の内径と略同じとし、長さはつまみ本体１１の長さよりも長く形成して、導光部材１２の後端部がつまみ本体１１の後端よりも後方に突出するようにつまみ本体１１の内部に嵌入される。この導光部材１２は、前端面にシボ加工等の梨地状加工を施して、該前端面を光が乱反射して略均一に発光する発光面１２ａとすると共に、後端面を前後方向に垂直に形成して、該後端面を発光体４からの光が入射する入射面１２ｂとするものである。発光面１２ａはつまみ本体１１から前方に露出している。
【００３３】
つまみ蓋１３は、有蓋筒状をしたもので、本実施形態では遮光性を有する金属や合成樹脂等の材料で形成してあり、筒状の部分が導光部材１２の前端部の内部に嵌入され、蓋の部分が導光部材１２の前端の発光面１２ａの内部に位置して該発光面１２ａと略面一となる。
【００３４】
上述した構成のつまみ部１は保持部２により前後に移動自在に保持され、前面パネル８７に形成した貫通孔８７ａを介して前方に突出したり該前面パネル８７と略面一となったりする。
【００３５】
保持部２は、本体部２１と可動部２２とを備え、本体部２１に対して可動部２２を後方に押し込む毎に前記可動部２２が前方に位置する状態と後方に位置する状態とが交互に切り替わるもので、例えばハート型カムを用いた既存の機構が好適に用いられるが、その他の機構であってもよく、機構の詳細な説明は省略する。
【００３６】
本実施形態では基板部６が設けてある。基板部６は、ロータリーエンコーダ３と、発光体４と、スイッチ７と、を備えたもので、各つまみダイヤル装置Ａ毎に別個に設けられる。本実施形態では、基板部６は、ガスこんろ８の筐体８１に固定される支持板９２の後側の面にビス等の固着具により取り付けられる。
【００３７】
ロータリーエンコーダ３は、軸廻りに回転自在な操作軸３１が支持板９２に形成された貫通口９２ａを介して前方に突出していて、該操作軸３１の一方向への回動操作に伴って二つのパルス信号のうちの一方のパルス信号が他方のパルス信号より位相が進み、また他方向への回動操作に伴って前記他方のパルス信号が前記一方のパルス信号より位相が進む状態で、異なる位相の二つのパルス信号を制御手段に出力するよう構成されている。つまり、ロータリーエンコーダ３はその二つの出力端子から上述した位相の異なるパルス信号を出力するものであり、このパルス信号に基づいて制御手段はステッピングモータの駆動を制御し、対応するこんろバーナへの燃料供給量、即ち火力を調節する。
【００３８】
ロータリーエンコーダ３の操作軸３１の先端部に、上記保持部２の本体部２１が取り付けられる。保持部２の本体部２１の後方側の面には、前記操作軸３１の外形と略同様の嵌入孔２３が穿設してあり、この嵌入孔２３が前記操作軸３１に被嵌されて取り付けられる。
【００３９】
発光体４は、ＬＥＤが好適に用いられるが特に限定されない。本実施形態では、各つまみダイヤル装置Ａ毎に、白色発光体４ａと橙色発光体４ｂの発光色の異なる二種類の発光体４が各色毎に三個ずつ、両色で計六個の発光体４が基板部６の前方側の面に実装してある。この発光体４は、指向性を有しており、発する光が支持板９２に形成された貫通口９２ｂを介して、導光部材１２の入射面１２ｂから導光部材１２内に入射されるように、入射面１２ｂと対向する後方の位置に発光方向が前方となるように配置される。本実施形態では各色毎に三個の発光体４が導光部材１２の円周方向に９０°の間隔で配置してある。前記間隔は三個の場合には均等となる１２０°が好ましいが、９０〜１２０°の範囲でも差支えない。これにより、複数色の発光体４を発光面１２ａに均一に光らせることが可能となる。
【００４０】
スイッチ７は点消火用のスイッチであって、レバー７１が支持板９２に形成された貫通口９２ｃを介して前方に突出していて、レバー７１を後方に向けて押圧することでスイッチ７がＯＦＦとなり、前方に戻ることでスイッチ７がＯＮとなり、このＯＮ／ＯＦＦの切り替え情報が制御手段に伝達される。
【００４１】
上述した保持部２には、つまみ部１が被嵌される。つまみ部１は、導光部材１２が後方に開口していて、この開口を介して導光部材１２の内部に保持部２が挿入され、導光部材１２の内面と保持部２の外面とが互いにガイドとなって、つまみ部１が前後に移動する際につまみ蓋１３の前面が前方を向く姿勢が維持される。そして、保持部２の可動部２２となる軸の先端がつまみ蓋１３の後面に取り付けられ、図３に示すように可動部２２が後方に位置する状態と、図４に示すように可動部２２が前方に位置する状態とが切り替わり、図３に示す可動部２２が後方に位置する状態でつまみ部１の前端が前面パネル８７と略面一となる後位置にある状態となり、図４に示す可動部２２が前方に位置する状態でつまみ部１の前端が前面パネル８７よりも前方に突出する前位置にある状態となる。前位置では、つまみ部１が後述する押圧部材５を介してスイッチ７のレバー７１を後方に押圧せずＯＮとなり、後位置では、押圧部材５がスイッチ７のレバー７１を押圧してＯＦＦとなる。
【００４２】
押圧部材５は、つまみ部１の後端部の外周に配設される、合成樹脂等からなる筒状をしたものである。この押圧部材５は、つまみ部１の後半部の外周面となる、つまみ本体１１の後端部の外周面及び導光部材１２の後端部の外周面から外方に所定の距離をあけて、該つまみ部１に対して前後に移動自在となるように配置される。更に、押圧部材５の前端縁から内方に向けて前側の内フランジ５１が突設してあると共に、つまみ本体１１の後端部近傍の外周面に外フランジ１１ａが突設してあり、押圧部材５の前側の内フランジ５１がつまみ本体１１の外フランジ１１ａよりも前方に位置していて、前記前側の内フランジ５１の後面が外フランジ１１ａの前面に当接することで、押圧部材５のつまみ本体１１に対する後方への移動が規制される。前記規制された状態で、押圧部材５の後端部がつまみ部１の後端部（すなわち導光部材１２の後端部）よりも後方に位置している。また、押圧部材５の後端縁から内方に向けて後側の内フランジ５２が突設してあり、この後側の内フランジ５２の前面とつまみ本体１１の外フランジ１１ａの後面との間に付勢部材５３が配設してある。本実施形態では、付勢部材５３としてコイルばねを圧縮して前記両面間に装填し、押圧部材５をつまみ本体１１に対して後方に付勢した状態としている。押圧部材５は、スイッチ７のレバー７１の前方に配置される。
【００４３】
この押圧部材５は、つまみ部１が前位置にある状態では、スイッチ７のレバー７１から前方に離間している。そして、つまみ部１が前位置にある状態からつまみ部１を押し込んでいくと、押圧部材５は、つまみ部１の外フランジ１１ａから押し込み力を受ける付勢部材５３を介して押し込み力を受け、つまみ部１と共に後方に移動してレバー７１を押圧する。レバー７１がストロークの後端に達すると、押圧部材５の後方への移動も規制され、つまみ部１が更に押し込まれても、つまみ部１の外フランジ１１ａが後方に移動して付勢部材５３が圧縮されるのみで、押圧部材５は前記圧縮力以上の押し込み力を受けない。つまみ部１が更に押し込まれると、つまみ部１の後端縁（すなわち導光部材１２の後端縁）が支持板９２の前面に当接してつまみ部１の移動が規制される。この時、つまみ部１に加えられた押し込み力は上記付勢部材５３の圧縮力を除いて全て支持板９２にかかり、レバー７１には押圧部材５を介して付勢部材５３の圧縮力のみがかかるため、つまみ部１に過大な押し込み力がかかってもその大部分を支持板９２が受けて、レバー７１が過大な押し込み力により損傷してしまうのが防止される。
【００４４】
つまみ部１の導光部材１２は、その後端の入射面１２ｂが発光体４の前方に位置しているため、つまみ部１が前位置にある場合でも後位置にある場合でも、発光体４から前方に指向性をもって発する光が前記入射面１２ｂに入射されて導光部材１２内を直進又は、直進及び反射により前方に進行し、前端の発光面１２ａにあたった光が散乱して前方に照射され、前方から見ると発光面１２ａ全体が均一に光って見える。また、つまみ本体１１の内面を反射面とすることで、導光部材１２の外面より漏出する光がつまみ本体１１の内面で反射して導光部材１２に再入射し、光の損失を防止することができる。
【００４５】
制御手段は、電源スイッチ９１がＯＮの状態にあるときには、こんろバーナ毎に設けた被加熱物検知手段８６による検知を行い、被加熱物検知手段８６による検知のパターン、すなわち、電源ＯＮとしてから前記検知がなされるまでの時間や、検知がなされた後に検知がなくなって再び検知がなされたか、等のパターンに応じて、白色点灯、白色点滅、橙色点灯、橙色点滅、といった様々な発光パターンを実行して発光面１２ａを光らせる。
【００４６】
上述した本発明のつまみダイヤル装置Ａにあっては、つまみ部１が前位置にある場合でも後位置にある場合でも、発光体４から前方に指向性をもって発する光が殆ど前記入射面１２ｂに入射されるため、いずれの場合でもつまみ部１の発光面１２ａに見える光の強さがほとんど変わらない。
【００４７】
また導光部材１２の後端部をつまみ本体１１の後端よりも後方に位置させているのは、付勢部材５３を配設する空間をつまみ部１と押圧部材５との間に確保する観点からは、つまみ本体１１及び導光部材１２を切り欠いて大きな空間を形成するのが好ましいが、導光部材１２の断面積を大きくすると共に後端をできるだけ後方に位置させて発光体４からの距離を短くして発光面１２ａに至る光量を確保する必要があることから、つまみ本体１１の後端部を削減したものである。
【図面の簡単な説明】
【００４８】
【図１】（ａ）は周辺部材を含む本発明のつまみダイヤル装置の分解斜視図であり、（ｂ）はつまみ部の斜視図である。
【図２】同上のつまみダイヤル装置の斜視図である。
【図３】同上のつまみダイヤル装置のつまみ部が後位置にある状態の断面図である。
【図４】同上のつまみダイヤル装置のつまみ部が前位置にある状態の断面図である。
【図５】同上のつまみダイヤル装置を備えたガスこんろの全体斜視図である。
【符号の説明】
【００４９】
Ａ    つまみダイヤル装置
１    つまみ部
１１  つまみ本体
１１ａ  外フランジ
１２  導光部材
１２ａ  発光面
１２ｂ  入射面
１３  つまみ蓋
２    保持部
２１  本体部
２２  可動部
２３  嵌入孔
３    ロータリーエンコーダ
３１  操作軸
４    発光体
５    押圧部材
５１  内フランジ（前側）
５２  内フランジ（後側）
５３  付勢部材
６    基板部
７    スイッチ
７１  レバー
【図１】
2010067497.tif 000003
【図２】
2010067497.tif 000004
【図３】
2010067497.tif 000005
【図４】
2010067497.tif 000006
【図５】
2010067497.tif 000007